(57)【要約】【課題】軽くて取扱いも簡単で作業、乾燥に長時間を要さず、清掃もし易くしかも規格品を使用しなくても、自由に広く浴室の工事を行える方法を開発すること【解決手段】易加工性発泡体及び同樹脂板を接着剤により接着して得た材料を、浴室内のサイズに合わせて加工して、浴室内の段差を解消したい床面に、接着剤を用いて接着すること【選択図】図１
2004011366.tif 000002
【特許請求の範囲】
【請求項１】
易加工性発泡体及び同樹脂板を接着剤により接着して得た材料を、浴室内のサイズに合わせて加工して、浴室内の段差を解消したい床面に、接着剤を用いて接着することを特徴とする浴室内の段差解消床工法
【発明の詳細な説明】
【０００１】
【発明が属する技術分野】
本発明は浴室の段差解消床工法に関し、更に詳しくは浴室の段差を解消するために使用される浴室用床を用いて、浴室の段差を解消する浴室の床工法に関し、更に換言すれば浴室の改修方法に関する。
【０００２】
【従来の技術】
従来浴室内の段差を解消する方法としては、次の３つの方法が知られている。
（イ）浴室内部に於いて、モルタル（又はセメント）により、床の高さを上げ、タイルを上から貼り、洗い場の床の高さを調整（高く）する方法、
（ロ）バリアフリータイプのユニットバスに変換する方法。但しこのバリアフリータイプのユニットバスとは、たとえばイナックス社製のビューバスＢＹＤＢ−１６１６の如きものである。
（ハ）木製若しくは樹脂製の所謂「すのこ」板を敷く方法。
【０００３】
しかし乍ら、これ等従来の（イ）（ロ）及び（ハ）の方法では、以下の如き難点が知られている。即ち
【０００４】
（イ）の方法については、モルタル（又はセメント）自体の重量が重く、たとえば集合住宅の如き住宅そのものの躯体に荷重制限がある住宅をはじめ、その他病院、老人ホーム等には殆ど使用できず、またモルタルの調製、塗布操作、乾燥、硬化等に、煩雑な操作が必要であったり、作業、乾燥時間に長時間を要する難点があった。
【０００５】
また上記（ロ）の方法では、価格が高く、且つ規格に合った製品しか使用出来ず、規格外の形状の場合には交換することが出来ないという大きな難点があり、どの様な浴室でも自由に段差解消工事を行うことが出来なかった。
またたとえ規格に合っても、交換時多くの産業廃棄物が発生し、環境に悪影響を与えるという難点もあった。
【０００６】
（ハ）の方法ではすのこ板間の隙間から、湯が入り、裏面及び既存床にカビが発生し易く、常時清掃並びに乾燥をしなければならない。尚、この清掃の度に、すのこ板を脱着しなければならず、かなりの負担になる。
【０００７】
【発明が解決しようとする課題】
本発明が解消しようとする課題は、上記（イ）、（ロ）及び（ハ）の従来方法の各難点を解消することであり、更に詳しくは軽くて取扱いも簡単で作業、乾燥に長時間を要さず、清掃もし易くしかも規格品を使用しなくても、自由に広く浴室の工事を行える方法を開発することであり、加えて産業廃棄物の発生も極めて少ない方法を提供せんとすることである。
【０００８】
【課題を解決するための手段】
この課題は、易加工性発泡体就中樹脂発泡体及び同樹脂板を接着剤により接着した材料を、浴室内段差解消用床材として使用すること、及び上記床材を浴室内のサイズに合わせて加工して浴室内の段差を解消したい床面に接着剤を用いて接着することにより解消される。
【０００９】
【発明の作用】
本発明の床材は図１に示す通り、その基本は発泡体就中樹脂発泡体（１）と樹脂板（２）とを接着剤（３）で一体的に接着したものである。
【００１０】
この際の発泡体（１）及び樹脂板（２）はいずれも加工し易いものを使用し、簡単な加工手段就中切断手段たとえばノコギリ、ナイフ、カッター等で自由に加工出来る材質のものが好ましく使用される。
【００１１】
特に本発明に於いてはこの発泡体（１）としては、樹脂発泡体が好ましい。この際の樹脂としては各種合成樹脂が広く使用出来、好ましい樹脂としてはアクリル樹脂、ポリウレタン、ポリエチレン、ポリスチレン，硬質ポリ塩化ビニル等であり、特に好ましくはアクリル樹脂就中その発泡体である。発泡体の発泡倍率は容易に加工が出来て、しかも浴室の床材として使用出来る程度の強度を保証出来る発泡倍率のものが使用出来、通常１０〜３０倍程度のものである。
【００１２】
樹脂板（２）は発泡体（１）の上面に接着剤（３）で一体的に接着される。この樹脂板（２）は主に耐蝕性、耐薬品性、強度、断熱性に優れたものが使用され、その厚みは通常１〜５ｍｍ、好ましくは２〜３ｍｍ程度である。やはり加工し易い樹脂板が好ましく使用される。この際の樹脂としては熱硬化性樹脂、熱可塑性樹脂、好ましくは熱硬化性樹脂であり、特に好ましいのはＦＲＰ樹脂板である。
【００１３】
これ等両者を接着するために使用される接着剤（３）としては、これ等両者を強固に接着出来るものであれば広く各種の接着剤が使用出来、特に好ましいものとしてエポキシ樹脂系、ポリエステル樹脂系、変成シリコーン系、接着剤の他「ラバロン・カチオンフィラー」、「ラバロン・サンカチオン」というカチオン系接着剤（市販品）も使用出来る。
【００１４】
この本発明の床材（イ）は、発泡体を使用しているためにモルタル（セメント）に比し著しく軽量であり、しかもかなりの強度を有し、しかも加工が容易なため、あらゆる形の浴室に対応出来る。したがってどのような浴室にも使用出来るため規格品に限定されることもない。加えて廃棄物は殆ど発生せず環境衛生上極めて優れたものである。
【００１５】
本発明の上記床材を用いて浴室内の段差を解消するための工法としては、図２に示す通り、段差を解消したい浴室内の床面（４）に、先ず接着剤（５）を塗布し、この接着剤塗布層（５）の上から、本発明の床材（イ）を載置し、接着する。
【００１６】
この際段差の高さに合わせて、本発明の床材（イ）を、現場で加工して接着剤塗布層（５）上に載置すれば良い。但し図３は段差（８）を有する浴室内を模擬的に表わしたものであり、図３中（６）は浴槽（７）は出入口、（８）は段差（出入口（７）と浴室の床面（４）との間に存在する段差）を示す。この段差（８）を解消したい床面（４）の形状に合せて、床材（イ）を加工すれば良い。なお図４は段差を解消した状態を模擬的に示す説明図である。
【００１７】
更に本発明に於いては、場合によっては、本発明の床材（イ）として、予め発泡体（１）と樹脂板（２）とを接着剤（３）で接着した床材（イ）を使用することなく、現場施工に於いて、発泡体（１）を接着剤塗布層（５）の上に先ず接着し、次いで接着剤（３）を介して樹脂板（２）を発泡体表面上に接着して床材（イ）を施工現場で作成しても良い。
【００１８】
この際使用される接着剤（５）としては、広く各種のものが使用出来、合成樹脂を主体とする各種の有機系接着剤、たとえばポリエステル系、エポキシ樹脂系、変成シリコーン系、ウレタン系、ゴム溶剤系、酢酸ビニルエマルジョン系接着剤等を好ましいものとして例示出来、その他上記「カチオンフィラー」や「サンカチオン」等のカチオン系接着剤も使用できる。またモルタルやセメント等の無機質接着剤も使用出来る。
【００１９】
【実施例】
【実施例１】
縦１６７０ｍｍ、横８００ｍｍ、厚さ４００ｍｍの硬質アクリル樹脂発泡体（発泡倍率１０倍、強度２８ｋｇ／ｃｍ２）の片面に、エポキシ樹脂接着剤（３）を用いて強化ポリエステル樹脂板（厚み３ｍｍ）を一体的に貼着して、本発明の床材（イ）を作成した。
かくして得た本発明床材（イ）を図３に示す段差を有する浴室内（６）の床面（４）に、サンカチオン系接着剤を塗布した後、加工し、裁置して段差を解消した。
【００２０】
【実施例２】
実施例１に於いて用いた樹脂発泡体に代えてポリウレタンの樹脂発泡体を使用し、その他は実施例１と同様に処理して、段差を解消する工法を実施した。
【００２１】
【実施例３】
上記実施例１に於いて、床材（イ）として発泡体（１）と樹脂板（２）とを予め接着剤（３）により接着したものに代えて、これ等を順次接着剤層（５）の上に設置して段差を解消した。
【００２２】
【発明の効果】
（イ）本発明の床材は、共に加工容易な材料、即ち
（１）樹脂発泡体（１枚）
（２）ＦＲＰ樹脂板（１枚）
（３）接着剤
（４）両面テープ
（５）排水金具
（６）ポリ塩化ビニルパイプ
をセットする事により排水口の位置に関係することなくあらゆる浴室の段差解消工事を施工することができる。
なお段差が５０ｍｍ以上の場合には、更にもう一枚樹脂発泡体を下に貼り付けることにより、段差を解消できる。
（ロ）加工が容易なので工期が短縮でき、一日で施工が出来るために当日に浴室の使用が可能である。
このように本発明床材は、軽量で加工が容易なため、極めて簡単にしかもどの様な浴室にも使用出来、しかも規格品を使用したり産業廃棄物の発生も極めて少ないものである。従ってその産業上の効果は極めて大きい。
【００２３】
【図面の簡単な説明】
【図１】図１は本発明の床材の代表的な一例を表す斜視図である
【図２】図２は浴室内の段差を解消するために本発明の床材を用いて実際に施工した際の模擬的な断面図である
【図３】図３は段差を解消しようとする浴室内の形状の一例を示す説明図である
【図４】図４は本発明の床工法を実施した際の模範的な説明図である
【符号の説明】
１・・・発泡体
２・・・樹脂板
３・・・接着剤
４・・・段差を解消したい床面
５・・・接着剤
６・・・浴室
７・・・出入口
８・・・段差
【図１】
2004011366.tif 000003
【図２】
2004011366.tif 000004
【図３】
2004011366.tif 000005
【図４】
2004011366.tif 000006